(57)【要約】【課題】偏重心、偏芯ディスクの検出は、ディスクが振動してサーボエラー信号が不安定となるので、サーボエラー信号の大きさを測定すれば検出できるが、反射率が低くサーボをかけるのが不安定なディスクや、ＣＤ−Ｒ，ＣＤ−ＲＷなどの記録系メディアで記録状態が悪くデータを読みとりにくいものなどは、ディスクが高速回転で振動する以前に、再生速度を少し上げただけでデータ読みとりに不具合が生じるものもある。【解決手段】回転速度を切り替えてメディアを回転する光ディスク装置であって、回転数の高い時の読み取りエラーの個数と、回転数の低い時の読み取りエラーの個数とをそれぞれメモリに記憶できる構成であって、それら読み取りエラーの個数を比較し、所定値以上にエラー発生個数の差が有る時はメディアを高速回転させず、エラー発生個数の差が前記所定値未満の時にメディアを高速回転させる【選択図】図３
2006147048.tif 000002
【特許請求の範囲】
【請求項１】
回転速度が異なる第１及び第２の速度に切り替えてメディアを回転する光ディスク装置であって、前記ディスクに記録された信号を読み取る読み取り手段と、前記ディスクを回転させる回転手段と、前記読み取り手段で読みとったディスクの情報に基づき前記回転手段を制御して前記ディスクを回転させる制御手段と、前記制御手段の制御により前記読み取り手段で読みとった信号に読み取りエラーがあった場合、その読み取りエラーの数を記憶する記憶手段とを備え、前記制御手段は、前記メディアを高速で回転させた時の読み取りエラーの数と、前記メディアを低速で回転させた時の読み取りエラーの数に基づき、前記ディスクを第１または第２の速度のうちいずれかの速度で回転させることを特徴とする光ディスク装置。
【請求項２】
回転速度を切り替えてメディアを回転する光ディスク装置であって、回転数の高い時の読み取りエラーの個数と、回転数の低い時の読み取りエラーの個数とをそれぞれメモリに記憶できる構成であって、それら読み取りエラーの個数を比較し、所定値以上にエラー発生個数の差が有る時はメディアを高速回転させず、エラー発生個数の差が前記所定値未満の時にメディアを高速回転させることを特徴とする光ディスク装置の制御方法。
【発明の詳細な説明】
【技術分野】
【０００１】
本発明は、光ディスク装置およびその制御方法に関するものである。
【背景技術】
【０００２】
ＣＤ（コンパクトディスク）からＭＤ（ミニディスク）等に高速録音を行うミニコンポにおいて、ＣＤを高速回転させて読み出し速度を高速化し、転送速度をあげることが必要である。しかし、ディスクの中には偏重心や偏芯をもったものがあり、このようなディスクを高速回転させると、振動が発生して、読みとりエラーが発生する場合がある。
【０００３】
この改善策として、高速回転させた時に発生する振動成分がサーボエラー信号に影響を与え、サーボエラー信号が乱れることを利用して検出し、これらのメディアのみ高速回転をさせない方法が考案されている。
【特許文献１】特開２０００−１０５９６５号公報
【発明の開示】
【発明が解決しようとする課題】
【０００４】
しかしながら上記従来の構成や特許文献１では、以下のような課題がある。
【０００５】
まず、偏重心、偏芯ディスクの検出は、ディスクが振動してサーボエラー信号が不安定となるので、サーボエラー信号の大きさを測定すれば検出できるが、反射率が低くサーボをかけるのが不安定なディスクや、ＣＤ−Ｒ，ＣＤ−ＲＷなどの記録系メディアで記録状態が悪くデータを読みとりにくいものなどは、ディスクが高速回転で振動する以前に、再生速度を少し上げただけでデータ読みとりに不具合が生じるものもある。
【０００６】
これらは、振動が発生しておらず、サーボエラー信号の乱れを利用する従来の方法では検出が困難である。
【０００７】
本発明は上記課題を鑑み、新たなハードウエアの追加無しで、上記ディスクを検出する手段を提供するものである。これにより、高速回転させた時に読みとりエラーを発生し易いディスクを特定することができ、このらのディスクのみ  回転数を落とす制御ができるようにすることができる光ディスク再生装置を提供することを目的とする。
【課題を解決するための手段】
【０００８】
上記目的を達成するために本発明の光ディスク再生装置は、読み取り最大回転数にて、ディスクの情報（サブコードデータ）を一定時間読み込み、この時にサブコードデータが読み込めなかった回数をカウントして記憶しておき、次に、回転数を落として、再度サブコードの読み込みを行い、この時もサブコードデータが読み込めなかった回数をカウントして記憶しておき、次にサブコードが正常に読み込めなかった回数を回転数が高い時と低い時でどの位差があるかを比べ、回転数が高い時に読みとりエラーが一定以上多いディスクは、偏重心、偏芯、反射率が低いなど、高速回転に向かないメディアとして判別し、高回転での再生を行わないという判断を行う。
【発明の効果】
【０００９】
これにより本発明の光ディスク再生装置は、従来検出できなかった反射率の低いものや、ＣＤ−Ｒ，ＣＤ−ＲＷなどの記録系メディアで記録状態が悪いものなど高速回転に向かないメディアを、新たなハードウエアの追加無しで検出可能にすることができ、これらのディスクの時は回転数を落として再生し、安定した録音ができるようになる。
【００１０】
また、高速回転しても良いと判断したメディアは、回転数を上げて高速に読みこみ、転送を行うことで、ＭＤ等へのダビング時間を短縮することができる。
【発明を実施するための最良の形態】
【００１１】
本発明の請求項１に記載の発明は、回転速度が異なる第１及び第２の速度に切り替えてメディアを回転する光ディスク装置であって、前記ディスクに記録された信号を読み取る読み取り手段と、前記ディスクを回転させる回転手段と、前記読み取り手段で読みとったディスクの情報に基づき前記回転手段を制御して前記ディスクを回転させる制御手段と、前記制御手段の制御により前記読み取り手段で読みとった信号に読み取りエラーがあった場合、その読み取りエラーの数を記憶する記憶手段とを備え、前記制御手段は、前記メディアを高速で回転させた時の読み取りエラーの数と、前記メディアを低速で回転させた時の読み取りエラーの数に基づき、前記ディスクを第１または第２の速度のうちいずれかの速度で回転させるものである。
【００１２】
請求項２に記載の発明は。回転速度を切り替えてメディアを回転する光ディスク装置であって、回転数の高い時の読み取りエラーの個数と、回転数の低い時の読み取りエラーの個数とをそれぞれメモリに記憶できる構成であって、それら読み取りエラーの個数を比較し、所定値以上にエラー発生個数の差が有る時はメディアを高速回転させず、エラー発生個数の差が前記所定値未満の時にメディアを高速回転させるものである。
【００１３】
すなわち、回転速度を切り替えてメディアを再生する光ディスク再生／記録装置であって、回転数の高い時の読み取りエラーの個数と、回転数の低い時の読み取りエラーの個数をそれぞれメモリに記憶できる構成であって、それらエラーの個数を比較して、ある決められた閾値以上にエラー発生個数の差が有る時に、高速回転に向かないメディアと判定し、高速再生をさせず、高速回転に向くメディアと判定した場合のみ、高速再生をさせることができる光ディスク再生／記録装置を実現した。
【００１４】
（実施の形態１）
図１は、本発明の実施の形態の光ディスク再生装置のブロック図、図３は同実施の形態におけるディスク判別動作を示すフローチャート、図５はディスクの一例としてＣＤのサブコードの例を示す模式図である。
【００１５】
図１において、１は光学的に信号が記録された記録媒体（メディア）である光ディスク、２は光ディスク１を乗せるターンテーブル、３はディスク１にレーザを当てて信号を読みとるためのピックアップ、４はピックアップ３を移動させるためのトラバース、５は光ディスク１を回転させるためのスピンドルモータで、ピックアップ３とトラバース４で読み取り手段を構成し、ターンテーブル２とスピンドルモータ５で回転手段を構成している。６はピックアップ３及びトラバース４を動作制御するサーボ回路、７はサーボ回路６など再生装置全体を制御するマイコンで、サーボ回路６とマイコン７とで制御手段を構成している。８はマイコン７からアクセスできる記憶手段であるメモリである。
【００１６】
図２は、本実施の形態のピックアップとサーボ回路のブロック図を示す。３１はディスク１の記録面にレーザー光を集光させて照射するレンズ、３７はレーザーダイオード３５からのレーザー光を平行光にしてレンズ１へ導くコリメートレンズ、３２はレンズ３１を半径方向に動かすためのトラッキングコイル、３３はレンズ３１を上下方向に動かすためのフォーカスコイル、３４はディスク１からの反射信号をビームスプリッタ３６を介して受ける受光部、３５はディスク１に対してレーザー光を照射するレーザーダイオードである。５０はトラバース４の動作を制御するトラバース制御手段、５１はフォーカスコイル３３の動作を制御しレンズ３１のフォーカシング制御を行うフォーカスコイル制御手段、５２はトラッキングコイル３２の動作を制御しレンズ３１のトラッキング制御を行うトラッキングコイル制御手段、５３はトラバース制御手段５０とフォーカスコイル制御手段５１とトラッキングコイル制御手段５２とを制御するサーボ制御回路、５５は受光部３４で受光したレーザー光に基づきＦＥ（フォーカスエラー）信号／ＴＥ（トラッキングエラー）信号／ＲＦ信号を生成するＦＥ／ＴＥ／ＲＦ信号生成手段、５４はＦＥ／ＴＥ／ＲＦ信号生成手段５５からのＲＦ信号をデータに復調する復調回路である。データには、ディスク上の位置を示すサブコード情報や、音声などのデータが含まれる。
【００１７】
以上のように構成された本実施の形態の光ディスク再生装置において、以下その動作について、図３のフローチャートとともに説明する。
【００１８】
まず、ディスク１の回転を最大回転数にする（ステップＳ１）。  
【００１９】
次に、ディスク１を最大回転数で回転させたまま、光ピックアップ２でディスク１上のサブコードデータを１秒間読み続ける（ステップＳ２）。なお、ＣＤの場合は、１秒間に７５フレームあるので、サブコードは７５回読みとりを試行することになる。
【００２０】
次に、ステップＳ２でサブコードを読みとれなかったり、サブコードに付属しているＣＲＣチェックで「ＮＧ」になった時は、「読みとり失敗」と判定する。そして、「読み取り失敗」の回数をカウントし、失敗回数Ｚとしてメモリ８に記録しておく（ステップＳ３）。
【００２１】
ＣＤには誤り訂正としてCIRC(Cross Interleave Reed-Solomon Code)が使用されているが、これの訂正頻度が読みとれるシステムではこの誤り訂正の頻度を使用しても良い(１秒間におけるC1エラー発生回数等。)。
【００２２】
次に、ステップＳ４において、１秒間における失敗回数Ｚと所定値Ａとを比較し、失敗回数Ｚが所定値Ａ（閾値）より多い場合は、高速回転に向かないメディアとして判断する（ステップＳ１０へ）。また、失敗回数Ｚが所定値Ａよりも少ない場合は、ステップＳ５へ進む。
【００２３】
次に、ステップＳ５において、ディスク１の回転数を落とす。本実施の形態では、装置が持つ最低回転数に設定したが、任意の回転数であっても構わない。
【００２４】
次に、ディスク１の回転数を落としたまま、ディスク１上のサブコードデータを１秒間読み続ける（ステップＳ６）。ここで、ステップＳ６で、サブコードを読みとれなかったり、サブコードに付属しているＣＲＣチェックでＮＧになった時は、「読みとり失敗」と判定する。そして、「読み取り失敗」の回数をカウントし、失敗回数Ｙとしてメモリ８に記録しておく（ステップＳ７）。
【００２５】
次に、ステップ８において、ステップＳ３とステップＳ７でメモリ６に記録した失敗回数Ｚ及びＹの差分個数（つまりＺ−Ｙ）と所定値Ｂとを比較し、ある個数以上の開きが有る場合（つまり、（Ｚ−Ｙ）＞Ｂ）は、回転数に依存して読みとりエラーが変化すると判断し、高速回転に向かないメディアとして判断する（ステップＳ１０へ）。逆に高回転でも、低回転でも読みとりエラー発生個数に差があまり出ないメディア（つまり、（Ｚ−Ｙ）＜Ｂ）は、高速回転可能メディアであると判断する（ステップＳ９へ）。
【００２６】
以上のように本実施の形態によれば、従来検出できなかった反射率の低いものや、ＣＤ−Ｒ，ＣＤ−ＲＷなどの記録系メディアで記録状態が悪いものなど高速回転に向かないメディアを、新たなハードウエアの追加無しで検出することが可能となり、これらのディスクの時は回転数を落として再生し、安定した録音ができるようになる。
【００２７】
また、ステップＳ９に示すように高速回転しても良いと判断したメディアは、回転数を上げて高速に読みこみ、転送を行うことで、ＭＤ等へのダビング時間を短縮することができる。
【００２８】
（実施の形態２）
次に、実施の形態２として図４のフローチャートとともに説明する。
【００２９】
まず、ディスク１の回転を最大回転数にする（ステップＳ１）。
【００３０】
次に、ディスク１を最大回転数で回転させたまま、ディスク１上のサブコードデータを１秒間読み続ける（ステップＳ２）。この時、サブコードデータ読みとりを、決まった位置（例えば絶対番地２秒の位置）で行う。
【００３１】
次に、ステップＳ２でサブコードを読みとれなかったり、サブコードに付属しているＣＲＣチェックでＮＧになった時は、「読みとり失敗」であると判断する。そして、「読み取り回数」をカウントし、失敗回数Ｘとしてメモリ６に記録しておく（ステップＳ３）。
【００３２】
次に、ステップＳ４において、１秒間における失敗回数Ｘと所定値Ｃとを比較し、失敗回数Ｘが所定値Ｃ（閾値）より多い場合は、高速回転に向かないメディアとして判断する（ステップＳ１０へ）。また、失敗回数Ｘが所定値Ｃよりも少ない場合は、ステップＳ５へ進む。
【００３３】
次に、ステップＳ５において、ディスク１の回転数を落とす。本実施の形態では、装置が持つ最低回転数に設定したが、任意の回転数であっても構わない。
【００３４】
次に、ディスク１の回転数を落としたまま、ディスク１上のサブコードデータを１秒間読み続ける（ステップＳ６）。この時、サブコードデータ読みとりを、ステップＳ２で読み込んだ位置（この例では絶対番地２秒の位置）で行う。ここで、ステップＳ６で、サブコードを読みとれなかったり、サブコードに付属しているＣＲＣチェックでＮＧになった時は、「読みとり失敗」と判定する。そして、「読み取り失敗」の回数をカウントし、失敗回数Ｗとしてメモリ８に記録しておく（ステップＳ７）。
【００３５】
次に、ステップ８において、ステップＳ３とステップＳ７でメモリ６に記録した失敗回数Ｘ及びＷの差分個数（つまりＸ−Ｗ）と所定値Ｄとを比較し、ある個数以上の開きが有る場合（つまり、（Ｘ−Ｗ）＞Ｄ）は、回転数に依存して読みとりエラーが変化すると判断し、高速回転に向かないメディアとして判断する（ステップＳ１０へ）。逆に高回転でも、低回転でも読みとりエラー発生個数に差があまり出ないメディア（つまり、（Ｘ−Ｗ）＜Ｄ）は、高速回転可能メディアであると判断する（ステップＳ９へ）。
【００３６】
この実施の形態２によれば、回転数を変えて、同じ場所の読み込みを行っていることになるので、傷などのトラック位置の条件の違いが無視でき、実施の形態１より精度の高い検出ができる。
【産業上の利用可能性】
【００３７】
ディスクを高速で回し、録音／再生させる光ディスク装置において、高速で回すと読みとりエラーが増加するメディアを事前に判別できるので、失敗の少ない高速再生が実現できる。
【図面の簡単な説明】
【００３８】
【図１】本発明の実施の形態の光ディスク再生装置のブロック図
【図２】同実施の形態におけるピックアップとサーボ回路のブロック図
【図３】同実施の形態１のフローチャート
【図４】同実施の形態２のフローチャート
【図５】ＣＤにおけるサブコードデータを示す模式図
【符号の説明】
【００３９】
１    光ディスク
２    ターンテーブル
３    ピックアップ
４    トラバース
５    スピンドルモータ
６    サーボ回路
７    マイコン
８    メモリ
３１    レンズ
３２    トラッキングコイル
３３    フォーカスコイル
３４    受光部
３５    レーザー
５０    トラバース制御手段
５１    フォーカスコイル制御手段
５２    トラッキングコイル制御手段
５３    サーボ制御回路
５４    復調回路
５５    ＦＥ／ＴＥ／ＲＦ信号生成手段
【図１】
2006147048.tif 000003
【図２】
2006147048.tif 000004
【図３】
2006147048.tif 000005
【図４】
2006147048.tif 000006
【図５】
2006147048.tif 000007